(57)【要約】  本発明によれば、店舗は、その預金口座の中で借方に記入するよりはむしろ、貸方に記入するためのその銀行または金融機関に預金情報を送信する店舗を使用可能にするデビット・カード読取装置に読取り可能な預金カードを発行される。より詳しくは、少なくとも１つの口座を保有する銀行に預け入れ金情報を送信するために構成されたデビット・カード読取装置を有する店舗が、銀行預け入れを容易にする方法が提供される。  方法は、（ｉ）預金口座に預けられた現金および流通証券に関して預金情報を収集するステップと、（ｉｉ）デビット・カード読取装置を介して銀行に預金情報を送信するステップと、（ｉｉｉ）預金パッケージに現金および流通証券を連結するステップと、（ｉｖ）リンクに対する預金パッケージにステップ（ｉｉ）の預金情報に属するラベルを付加するステップと、（ｖ）ステップ（ｉｖ）から銀行まで預金パッケージを送達するステップとを含む方法。【選択図】図１
2009543165.tif 000002
【特許請求の範囲】
【請求項１】
少なくとも１つの口座を保有する銀行に預け入れ金情報を送信するために構成されたデビット・カード読取装置を有する店舗が、銀行預け入れを容易にする方法であって、
（ｉ）前記口座に預けられた現金および流通証券に関して預金情報を収集するステップと、
（ｉｉ）前記デビット・カード読取装置を介して前記銀行に前記預金情報を送信するステップと、
（ｉｉｉ）預金パッケージに前記現金および流通証券を連結するステップと、
（ｉｖ）リンクに対する前記預金パッケージにステップ（ｉｉ）の前記預金情報に属するラベルを付加するステップと、
（ｖ）ステップ（ｉｖ）から前記銀行まで前記預金パッケージを送達するステップとを含む方法。
【請求項２】
前記預金情報は、前記デビット・カード読取装置によって読取り可能な預金カードを介して総額として送信される、請求項１に記載の方法。
【請求項３】
前記ステップ（ｉｖ）のラベリングは、前記現金および流通証券とともに前記預金パッケージの前記預金情報を有する預金入金票を準備することによってもたらされる、請求項２に記載の方法。
【請求項４】
前記デビット・カード読取装置は、前記店舗の構内以外の位置にある、請求項２に記載の方法。
【請求項５】
前記預金情報の正確さに関係なく前記預金情報が支払われる前記銀行に第三者機関保険を提供するステップを更に含む、請求項３に記載の方法。
【発明の詳細な説明】
【技術分野】
【０００１】
この発明は、銀行業務情報の処理に関する。より詳しくは、この発明は、店舗の業務に関し、特に銀行または類似した機関によって保有される夜間保管ボックスに毎日の収益を預ける小売業者の業務に関する。
【背景技術】
【０００２】
典型的な小売業者は、銀行または他の金融機関によって維持される夜間保管所ボックスに、毎日の収益を預ける。
【０００３】
現在の業務では、１日の現金、小切手とクレジットカード収益を計算すること、承認された預金伝票上に収入金を記録すること、預金伝票とともに、現金、小切手とクレジットカード収益を夜間預金バッグに入れること、そして、銀行に夜間預金バッグを預けることが必要である。
【発明の概要】
【発明が解決しようとする課題】
【０００４】
現在の手順での問題は、預金書類への記入、銀行での確認、銀行顧客取引口座に対してそれらの積立金の預金金額を記帳すること、の間に時間遅延があることに起因する。
【０００５】
銀行が預金書類を精査して照合するまで、銀行は顧客が幾らの総額を預けているか全くわからない。
【０００６】
さらに、総計を確認することに、契約スタッフまたは社内スタッフによってであるにせよ何日もかかる場合がある。
【０００７】
さらに、総計を確認しているスタッフは、判読しがたい手書きの預金伝票、見落とされたか、存在しない登録事項を処理することに余分な時間を費やすことに起因する問題に直面することがある。
【０００８】
銀行の立場から、確認プロセスが終了するまで、銀行はその積立金に預け入れ金額を記録することができない。
【０００９】
同様に、銀行がその処理を終えるまで、銀行の顧客は預入金額の確認ができない。
【課題を解決するための手段】
【００１０】
本発明は、銀行の顧客である小売業者の大部分が、デビット・カード所有者の口座から小売業者の口座まで直接送金できるデビットカード・システムを利用することを認める。
【００１１】
本発明によれば、店舗は、借方よりは貸方口座の入金情報を銀行または金融機関に送信できるデビット・カード読取装置で読み取ることができる預金カードを、発行される。
【００１２】
より詳しくは、店舗が、デビットカード読取装置を有することにより口座を有する銀行に入金情報を送り容易に入金できる方法を提供することにある。
【００１３】
上記方法は、前記口座に預けられる現金と流通証券に関する預金情報を収集するステップと、デビットカード読取装置を介して前記銀行に前記預金情報を送信するステップと、預金パッケージに前記現金と譲渡可能証券を統合するステップと、ステップ（ｉｉ）でそれを前記預金情報に連結するために前記預金パッケージにラベル付けするステップと、ステップ（ｉｖ）に前記銀行まで前記預金パッケージを送達するステップとを含む。
【発明の効果】
【００１４】
前記本発明の一実施例によると、前記預金情報は、前記店舗に前記銀行によって発行されるアクセス・カードを利用して送信することができる。
【００１５】
前記預金者の前記確認は、個人の識別番号（「ＰＩＮ番号」）を利用して確認することができる。
【図面の簡単な説明】
【００１６】
本発明の好ましい実施例は、添付の説明図に関する描写された下記の部分である。
【図１】本発明による方法の概略図である。
【発明を実施するための形態】
【００１７】
図１の参照符号１０に示す略図を参照して、本発明によって店舗が銀行に預金（入金）する方法を説明する。
【００１８】
日常業務では小売店２０は、現金２２、小切手２４およびクレジットカード伝票２６を含個別の流通証券を集計する。
【００１９】
上記小売店は、デビット・カード読取装置３０の使用により、小売店顧客が自身の口座から、小売店２０が銀行に保有する口座に売上商品の対価を直接送金することができるようになる。
【００２０】
従来、上記小売店は、任意の一つ以上の現金２２、流通証券２４およびクレジット預金伝票２６から構成されている預金情報を統合して、銀行預金フォーム５０を準備する。
【００２１】
上記銀行預金フォーム５０は、概して、銀行に預けられる各項目の種類を記載して、入金される資金の統計５２を含む。
【００２２】
従来、現金および流通証券は、小売店の銀行４０の近くの支店で夜間預金箱４２に預金される預金パッケージ５４に入れる。
【００２３】
保管されてからしばらく後に、銀行４０の従業員が預け入れ封筒５４を開口して、預金計算書５０を有する預け入れ封筒５４に含まれる現金および流通証券を照合する。
【００２４】
総計が照合された場合、銀行は総額５２に対応する金額を小売店２０の預金口座に記帳する。
【００２５】
しかしながら何らかの不整合がある場合、小売業者２０の預金口座に記入する前に金額を照合するために何らかの処置を取る必要がある。
【００２６】
本発明によれば、小売店は、デビット・カード読取装置３０上で読取り可能な預金カード６０を備える。
【００２７】
デビット・カードに類似して構成される上記預金カードと、  情報ストリップ（例えば読取装置（例えばデビット・カード読取装置３０のスロット３２）によりカード６２を読み込む磁気ストリップ６２）とを含む。
【００２８】
上記小売店は、同様にセキュリティ・コード（例えば確認目的のための個人的なＩＤ番号（「暗証番号」））を準備する。
【００２９】
カードを読み込んで、暗証番号を入力すると、小売店２０がデビット・カード読取装置３０で銀行４０と通信を引き起こすことが可能になる。
【００３０】
本発明によれば、小売店は、預金される現金２２、流通証券２４およびクレジット伝票２６の合計を示している総額５２をデビット・カード読取装置３０に入力し、銀行４０の小売店２０の預金口座に即時入金のために銀行４０に総額を送信する。
【００３１】
銀行４０に送信される情報を入力するキーパッド３４のような情報入力手段が提供される。
【００３２】
一旦、預金情報が銀行４０に送信されると、預け入れ封筒５４は送達されて、夜間預金箱４２に保管される。
【００３３】
本発明の利点は、それが預け入れ封筒５４の統合された預金情報に添付される預金入金票による以外にも銀行に預金情報を送信するということである。
【００３４】
本願明細書において上記語句「小売店」は、金銭と引きかえに商品および／または顧客に対するサービスを提供する何らかの実体に援用し、小売商に制限されるよりはむしろ、広く解釈されるべきである。
【００３５】
さらにまた、語句「銀行」としては、小売店に代わって通知預金を維持してもよい何らかの金融機関を含み、商業銀行と同様に信託銀行、信用金庫および他の機関が挙げられるが、これに限定されるものではない。
【００３６】
デビット・カード読取装置３０および銀行４０と間の通信は、何らかの適当手段によってもよく、規制がない電話モデム、インターネット、ケーブルおよびワイヤレス手段を含む。
【００３７】
ほとんどの場合、小売店が預金情報を送信するために構内上のデビット・カード読取装置を使用することがより便利であると予想されるが、上記により銀行のデビット・カード読取装置を改良することも可能である。
【００３８】
換言すれば、上記の機能は、小売商のデビット・カード読取装置に搭載されるよりむしろ銀行窓口機に設置されてもよい。
【００３９】
上記原理は実際上の変更はない、すなわち、預金情報は、預金内容が精査された後に記帳されるよりむしろ、預金の定刻またはそれ以前に直接に送信される。
【００４０】
上記によりシステムを使用する際には、不正行為のおそれが懸念される。
【００４１】
換言すれば、預金情報は、作成される実際の預金なしで記入されてもよい。
【００４２】
これは、システムや他のリスクと関連した危険性を示しており、上記の危険性に対して防衛手段を取ることが可能である。
【００４３】
例えば、第三者機関は、デビット情報トランスミッションサービスを提供してもよく、銀行や他の金融機関に債券または他の預け入れ金を保証するという保証を提供してもよい。
【００４４】
換言すれば、危険負担は、銀行から保険業者または他の第三者機関まで転嫁される。
【００４５】
上記説明は限定ではなく、例示を目的としたものである。以下の添付の請求の範囲によって規定される本発明から逸脱することのない方法において様々な変形が当業者には明らかであろう。
【図１】
2009543165.tif 000003
【国際調査報告】
2009543165.tif 000004
2009543165.tif 000005